(57)【要約】【課題】  遊技機に一時的な異常が生じた場合にもその遊技機についての適正な評価を行うことのできる遊技機データ収集装置を提供する。【解決手段】  ホールコンピュータは、パチンコ店の開店時間から閉店時間までの期間内におけるパチンコ機の稼働データ（アウト玉数、セーフ玉数、スタート数）を収集して（Ｓ１３０，Ｓ１８０）、そのパチンコ機の釘の状態を評価するための釘調整用データを生成する（Ｓ１６０，Ｓ２１０）。ここで、本ホールコンピュータでは、アウト玉数、セーフ玉数、スタート数のうちのいずれかが所定値に達するまでの期間ごとにその期間でのパチンコ機の稼働データが正常であるか否かを判定し（Ｓ１５０，Ｓ２００）、正常でないと判定した場合にはその期間でのパチンコ機の稼働データを釘調整用データから除外する。【選択図】  図２
2005319094.tif 000002
【特許請求の範囲】
【請求項１】
所定の評価期間内における遊技機の稼働データを収集して該遊技機を評価するための評価用データを生成する遊技機データ収集装置であって、
前記評価期間内における所定の異常判定期間ごとに、該異常判定期間での前記遊技機の稼働データが正常であるか否かを判定する判定手段と、
該判定手段により前記異常判定期間での前記遊技機の稼働データが正常でないと判定された場合には、その正常でないと判定された前記異常判定期間での前記遊技機の稼働データを前記評価用データから除外する異常データ除外手段と、
を備えたことを特徴とする遊技機データ収集装置。
【請求項２】
請求項１に記載の遊技機データ収集装置において、
前記異常判定期間は、複数の条件のうちのいずれか１つが成立するまでの期間であること、
を特徴とする遊技機データ収集装置。
【請求項３】
請求項２に記載の遊技機データ収集装置において、
前記遊技機はパチンコ機であり、
前記複数の条件には、前記異常判定期間開始からのアウト玉数が所定値に達すること、前記異常判定期間開始からのセーフ玉数が所定値に達すること、前記異常判定期間開始からのスタート数が所定値に達すること、の３つの条件が含まれていること、
を特徴とする遊技機データ収集装置。
【請求項４】
請求項１ないし請求項３のいずれか１項に記載の遊技機データ収集装置において、
前記判定手段は、前記異常判定期間での前記遊技機の稼働データが正常であるか否かを判定するための判定基準を、前記評価期間で収集した前記遊技機の稼働データに基づき設定すること、
を特徴とする遊技機データ収集装置。
【請求項５】
請求項１ないし請求項４のいずれか１項に記載の遊技機データ収集装置において、
前記異常データ除外手段は、前記判定手段により正常でないと判定された前記異常判定期間での前記遊技機の稼働データに加え、その正常でないと判定された異常判定期間の直前及び直後のうちの少なくとも一方の異常判定期間での前記遊技機の稼働データについても前記評価用データから除外すること、
を特徴とする遊技機データ収集装置。
【発明の詳細な説明】
【技術分野】
【０００１】
本発明は、遊技機の稼働データを収集する遊技機データ収集装置に関するものである。
【背景技術】
【０００２】
従来、パチンコ機に代表されるような遊技機を多数備えた遊技場（例えばパチンコ店）では、遊技機ごとに稼働データを収集し、その収集した稼働データに基づいて各遊技機を評価（例えばパチンコ機では、釘の状態を評価）して、その調整を行うようにしている。
【０００３】
しかし、遊技機で故障が発生したり不正行為が行われたりすると、通常状態では生じ得ない異常な値の稼働データが収集されることがあり、こうした異常な値の稼働データに基づいて遊技機を評価すると、誤った調整が行われてしまう。
【０００４】
そこで、パチンコ機ごとに稼働データとしてアウト数、ベース、スタート回数を収集し、こうして収集したパチンコ機ごとの稼働データのうち、あらかじめ設定された許容範囲外の値となっているパチンコ機の稼働データを除外した異常値排除データを生成するようにしたものがある（特許文献１参照。）。
【特許文献１】特開２００３−３２５７９９号公報
【発明の開示】
【発明が解決しようとする課題】
【０００５】
ところで、遊技機においては、故障や不正行為により異常な値の稼働データが一時的に生じる場合がある。この場合、上記特許文献１に記載の構成では、遊技機の稼働データが全体的（平均的）にみて許容範囲内の値となっていれば除外されないため、適正な評価が行われない。逆に、遊技機の稼働データが全体的にみて許容範囲外の値となっていれば除外されるが、異常の発生が一時的なものであるにもかかわらずその遊技機の評価を全く行うことができなくなってしまう。
【０００６】
本発明は、こうした問題にかんがみてなされたものであり、遊技機に一時的な異常が生じた場合にもその遊技機についての適正な評価を行うことのできる遊技機データ収集装置を提供することを目的としている。
【課題を解決するための手段】
【０００７】
上記目的を達成するためになされた請求項１に記載の遊技機データ収集装置は、所定の評価期間内（例えば遊技場の開店時間から閉店時間までの期間内）における遊技機（例えばパチンコ機）の稼働データ（例えば、アウト玉数（打込パチンコ玉数）、セーフ玉数（賞球として放出されたパチンコ玉数）、スタート数（スタート入賞口への入賞回数））を収集してその遊技機を評価するための評価用データ（例えば釘調整用データ）を生成するものである。
【０００８】
そして、本遊技機データ収集装置では、判定手段が、評価期間内における所定の異常判定期間（例えば一定時間）ごとに、その異常判定期間での遊技機の稼働データが正常であるか否かを判定し、この判定手段により異常判定期間での遊技機の稼働データが正常でないと判定された場合には、異常データ除外手段が、その正常でないと判定された異常判定期間での遊技機の稼働データを評価用データから除外する。
【０００９】
このため、本遊技機データ収集装置によれば、遊技機に一時的な異常が生じた場合にもその遊技機についての適正な評価を行うことができる。すなわち、本遊技機データ収集装置では、評価期間内における異常判定期間ごとに遊技機の稼働データが正常であるか否かを判定し、正常でないデータは評価用データから除外するようにしているため、評価期間内において遊技機に一時的な異常が生じても、各異常判定期間での稼働データのうち正常なデータのみが評価用データに用いられる。この結果、一時的な異常が生じた遊技機についても適正な評価を行うことができるのである。
【００１０】
ここで、異常判定期間は、例えば請求項２に記載のように、複数の条件のうちのいずれか１つが成立するまでの期間とするとよい。すなわち、仮に異常判定期間を１つの条件が成立するまでの期間とすると、その条件が成立しない場合、例えばパチンコ機のアウト玉数が１０００個に達するまでという条件であるにもかかわらずアウト玉数が異常により計数されない場合には、異常判定期間が継続し続けてしまうこととなる。これに対し、複数の条件のうちのいずれか１つが成立するまでの期間とすれば、何らかの異常により１つの条件が成立しなくても、他の条件の成立により異常判定期間を終了させることができるのである。
【００１１】
そして、請求項３に記載のように、遊技機がパチンコ機である場合、上記複数の条件には、異常判定期間開始からのアウト玉数が所定値に達すること、異常判定期間開始からのセーフ玉数が所定値に達すること、異常判定期間開始からのスタート数が所定値に達すること、の３つの条件が含まれていることが好ましい。これらの条件は、異なる事象に基づいているにもかかわらず確率的に近いタイミングで成立することから、ある条件が何らかの異常により成立しなくても、異常判定期間の長さを安定させることができる。
【００１２】
次に、請求項４に記載の遊技機データ収集装置では、上記請求項１〜３のいずれかの遊技機データ収集装置において、判定手段が、異常判定期間での遊技機の稼働データが正常であるか否かを判定するための判定基準を、評価期間で収集した遊技機の稼働データに基づき設定する。例えば、評価期間で収集した遊技機の全稼働データから標準偏差を算出し、この標準偏差に基づき判定基準を設定する。このため、本遊技機データ収集装置によれば、異常判定期間での遊技機の稼働データが正常であるか否かの判定を、各遊技機の特性に応じて行うことができる。この結果、遊技機に応じた適正な判定を行うことができる。
【００１３】
次に、請求項５に記載の遊技機データ収集装置では、上記請求項１〜４のいずれかの遊技機データ収集装置において、異常データ除外手段が、判定手段により正常でないと判定された異常判定期間での遊技機の稼働データに加え、その正常でないと判定された異常判定期間の直前及び直後のうちの少なくとも一方の異常判定期間での遊技機の稼働データについても評価用データから除外する。このため、本遊技機データ収集装置によれば、評価用データの信頼性を一層向上させることができる。すなわち、ある異常判定期間での稼働データが正常でない場合、その異常判定期間の直前や直後も正常でない可能性が高いからである。
【発明を実施するための最良の形態】
【００１４】
以下、本発明が適用された実施形態について、図面を用いて説明する。
図１は、実施形態の遊技機データ収集装置としてのホールコンピュータ１０を備えたシステムの概略構成を表すブロック図である。
【００１５】
同図に示すように、このシステムは、多数（図面上は１台）のパチンコ機（遊技機に相当）２０を備えたパチンコ店に設けられるものであり、すべてのパチンコ機２０を統括管理するホールコンピュータ１０と、島ごとに設けられそれぞれがホールコンピュータ１０とデータ通信可能に接続された複数（図面上は１つ）の島集計基板３０と、パチンコ機２０ごとに設けられそれぞれが各島の島集計基板３０と通信可能に接続された複数（図面上は１つ）の台データ集計基板４０と、各台データ集計基板４０に対してその台データ集計基板４０に対応するパチンコ機２０の稼働データを出力するアウト玉計数部５０、セーフ玉計数部６０、スタート信号出力部７０及び大当たり信号出力部８０とを備えている。
【００１６】
アウト玉計数部５０は、パチンコ機２０でアウト玉が検出された場合に検出信号を台データ集計基板４０へ出力する。そして、ホールコンピュータ１０は、このアウト玉計数部５０からの検出信号を台データ集計基板４０及び島集計基板３０を介して入力することで、パチンコ機２０でのアウト玉数をカウントする。
【００１７】
セーフ玉計数部６０は、パチンコ機２０でセーフ玉が検出された場合に検出信号を台データ集計基板４０へ出力する。そして、ホールコンピュータ１０は、このセーフ玉計数部６０からの検出信号を台データ集計基板４０及び島集計基板３０を介して入力することで、パチンコ機２０でのセーフ玉数をカウントする。
【００１８】
スタート信号出力部７０は、パチンコ機２０でスタート入賞口への入賞が検出された場合に検出信号を台データ集計基板４０へ出力する。そして、ホールコンピュータ１０は、このスタート信号出力部７０からの検出信号を台データ集計基板４０及び島集計基板３０を介して入力することで、パチンコ機２０でのスタート数をカウントする。
【００１９】
大当たり信号出力部８０は、パチンコ機２０が大当たり状態となっている場合に、その旨の信号を台データ集計基板４０へ出力する。そして、ホールコンピュータ１０は、この大当たり信号出力部８０からの信号を台データ集計基板４０及び島集計基板３０を介して入力することで、パチンコ機２０が大当たり状態であることを把握する。
【００２０】
次に、ホールコンピュータ１０が行う釘調整用データ生成処理について、図２のフローチャートを用いて説明する。なお、本釘調整用データ生成処理は、当該ホールコンピュータ１０にて所定の開店操作（パチンコ店を開店する際に行われる操作）が行われることにより開始され、所定の閉店操作（パチンコ店を閉店する際に行われる操作）が行われることにより終了される。また、本釘調整用データ生成処理は、パチンコ店に設けられたすべてのパチンコ機２０のそれぞれについて行われるものであるが、ここでは１台のパチンコ機２０に対する処理を説明する。
【００２１】
この釘調整用データ生成処理が開始されると、まずＳ１１０で、パチンコ機２０の稼働状態を示すカウンタ値をリセットする。具体的には、平常状態（後述する確変状態及び大当たり状態以外の状態）でのアウト玉数をカウントするための平常時アウト玉数Ｍｏ、平常状態でのセーフ玉数をカウントするための平常時セーフ玉数Ｍｓ、平常状態でのスタート数をカウントするための平常時スタート数Ｍｔ、確変状態（いわゆる確率変動状態であり、所定の大当たり図柄での大当たり遊技が終了して次の大当たり確率が通常時より高められた状態）でのアウト玉数をカウントするための確変時アウト玉数Ｎｏ、確変状態でのセーフ玉数をカウントするための確変時セーフ玉数Ｎｓ、確変状態でのスタート数をカウントするための確変時スタート数Ｎｔ、の各値をリセットする（０にする）。
【００２２】
続いて、Ｓ１２０では、パチンコ機２０が平常状態、確変状態、大当たり状態のうちのいずれの状態になっているかを判定する。
そして、Ｓ１２０で、パチンコ機２０が平常状態であると判定した場合には、Ｓ１３０へ移行し、平常状態におけるアウト玉数、セーフ玉数、スタート数のカウントを行う。具体的には、アウト玉計数部５０からの検出信号に応じて、平常時アウト玉数Ｍｏをカウントする。また、セーフ玉計数部６０からの検出信号に応じて、平常時セーフ玉数Ｍｓをカウントする。さらに、スタート信号出力部７０からの検出信号に応じて、平常時スタート数Ｍｔをカウントする。
【００２３】
続いて、Ｓ１４０では、平常時アウト玉数Ｍｏ、平常時セーフ玉数Ｍｓ、平常時スタート数Ｍｔのうちのいずれかがあらかじめ設定されている所定値に達したか否かを判定する。本実施形態では、平常時アウト玉数Ｍｏが１０００に達したか、平常時セーフ玉数Ｍｓが３００に達したか、平常時スタート数Ｍｔが６０に達したかを判定する。つまり、３つの条件のうちのいずれか１つが成立したか否かを判定している。
【００２４】
そして、Ｓ１４０で、平常時アウト玉数Ｍｏ、平常時セーフ玉数Ｍｓ、平常時スタート数Ｍｔのうちのいずれも所定値に達していないと判定した場合には、Ｓ１２０へ戻る。つまり、パチンコ機２０が平常状態である間は、平常時アウト玉数Ｍｏ、平常時セーフ玉数Ｍｓ、平常時スタート数Ｍｔのうちのいずれか１つが所定値に達するまで、これらのカウントを継続する（「Ｓ１２０：平常状態」→「Ｓ１３０」→「Ｓ１４０：ＮＯ」の処理が繰り返される）のである。
【００２５】
一方、Ｓ１４０で、平常時アウト玉数Ｍｏ、平常時セーフ玉数Ｍｓ、平常時スタート数Ｍｔのうちのいずれかが所定値に達したと判定した場合には、Ｓ１５０へ移行し、平常時アウト玉数Ｍｏ、平常時セーフ玉数Ｍｓ、平常時スタート数Ｍｔの各値が正常であるか否かを判定する。具体的には、まず、平常状態におけるベース（パチンコ遊技機が特賞状態にない通常期間におけるパチンコ玉の出玉率）が、あらかじめ設定されている正常範囲内（本実施形態では、２０〜４０の範囲内）にあるか否かを判定する。ここで、平常状態におけるベースは、下記式（１）から算出される。
【００２６】
【数１】
2005319094.tif 000003
【００２７】
さらに、平常状態における１００玉スタート数（アウト玉数１００個当たりの平均スタート数）の値が、あらかじめ設定されている正常範囲内（本実施形態では、５〜７の範囲内）にあるか否かを判定する。ここで、平常状態における１００玉スタート数は、下記式（２）から算出される。
【００２８】
【数２】
2005319094.tif 000004
【００２９】
そして、本実施形態では、ベースが２０〜４０の範囲内にあり、かつ、１００玉スタート数が５〜７の範囲内にある場合に、平常時アウト玉数Ｍｏ、平常時セーフ玉数Ｍｓ、平常時スタート数Ｍｔの各値が正常であると判定する。
【００３０】
このＳ１５０で、平常時アウト玉数Ｍｏ、平常時セーフ玉数Ｍｓ、平常時スタート数Ｍｔの各値が正常であると判定した場合には、Ｓ１６０へ移行し、これらの値を釘調整用データ（パチンコ機２０の釘の状態を評価するためのデータであり、評価用データに相当）として蓄積した後、Ｓ１７５へ移行する。
【００３１】
一方、Ｓ１５０で、平常時アウト玉数Ｍｏ、平常時セーフ玉数Ｍｓ、平常時スタート数Ｍｔの各値が正常でない（異常である）と判定した場合には、Ｓ１７０へ移行し、これらの値を異常データとして蓄積した後、Ｓ１７５へ移行する。
【００３２】
Ｓ１７５では、平常時アウト玉数Ｍｏ、平常時セーフ玉数Ｍｓ、平常時スタート数Ｍｔの各値をリセットする（０にする）。その後、Ｓ１２０へ戻る。
また、上記Ｓ１２０で、パチンコ機２０が確変状態であると判定した場合には、Ｓ１８０へ移行し、確変状態におけるアウト玉数、セーフ玉数、スタート数のカウントを行う。具体的には、アウト玉計数部５０からの検出信号に応じて、確変時アウト玉数Ｎｏをカウントする。また、セーフ玉計数部６０からの検出信号に応じて、確変時セーフ玉数Ｎｓをカウントする。さらに、スタート信号出力部７０からの検出信号に応じて、確変時スタート数Ｎｔをカウントする。
【００３３】
続いて、Ｓ１９０では、確変時アウト玉数Ｎｏ、確変時セーフ玉数Ｎｓ、確変時スタート数Ｎｔのうちのいずれかがあらかじめ設定されている所定値に達したか否かを判定する。本実施形態では、確変時アウト玉数Ｎｏが１０００に達したか、確変時セーフ玉数Ｎｓが１０００に達したか、確変時スタート数Ｎｔが１００に達したかを判定する。つまり、３つの条件のうちのいずれか１つが成立したか否かを判定している。
【００３４】
そして、Ｓ１９０で、確変時アウト玉数Ｎｏ、確変時セーフ玉数Ｎｓ、確変時スタート数Ｎｔのうちのいずれも所定値に達していないと判定した場合には、Ｓ１２０へ戻る。つまり、パチンコ機２０が確変状態である間は、確変時アウト玉数Ｎｏ、確変時セーフ玉数Ｎｓ、確変時スタート数Ｎｔのうちのいずれか１つが所定値に達するまで、これらのカウントを継続する（「Ｓ１２０：確変状態」→「Ｓ１８０」→「Ｓ１９０：ＮＯ」の処理が繰り返される）のである。
【００３５】
一方、Ｓ１９０で、確変時アウト玉数Ｎｏ、確変時セーフ玉数Ｎｓ、確変時スタート数Ｎｔのうちのいずれかが所定値に達したと判定した場合には、Ｓ２００へ移行し、確変時アウト玉数Ｎｏ、確変時セーフ玉数Ｎｓ、確変時スタート数Ｎｔの各値が正常であるか否かを判定する。具体的には、まず、確変状態におけるベースが、あらかじめ設定されている正常範囲内（本実施形態では、２０〜２００の範囲内）にあるか否かを判定する。ここで、確変状態におけるベースは、下記式（３）から算出される。
【００３６】
【数３】
2005319094.tif 000005
【００３７】
さらに、確変状態における１００玉スタート数の値が、あらかじめ設定されている正常範囲内（本実施形態では、５〜２０の範囲内）にあるか否かを判定する。ここで、確変状態における１００玉スタート数は、下記式（４）から算出される。
【００３８】
【数４】
2005319094.tif 000006
【００３９】
そして、本実施形態では、ベースが２０〜２００の範囲内にあり、かつ、１００玉スタート数が５〜２０の範囲内にある場合に、確変時アウト玉数Ｎｏ、確変時セーフ玉数Ｎｓ、確変時スタート数Ｎｔの各値が正常であると判定する。
【００４０】
このＳ２００で、確変時アウト玉数Ｎｏ、確変時セーフ玉数Ｎｓ、確変時スタート数Ｎｔの各値が正常であると判定した場合には、Ｓ２１０へ移行し、これらの値を釘調整用データとして蓄積した後、Ｓ２３０へ移行する。
【００４１】
一方、Ｓ２００で、確変時アウト玉数Ｎｏ、確変時セーフ玉数Ｎｓ、確変時スタート数Ｎｔの各値が正常でない（異常である）と判定した場合には、Ｓ２２０へ移行し、これらの値を異常データとして蓄積した後、Ｓ２３０へ移行する。
【００４２】
Ｓ２３０では、確変時アウト玉数Ｎｏ、確変時セーフ玉数Ｎｓ、確変時スタート数Ｎｔの各値をリセットする（０にする）。その後、Ｓ１２０へ戻る。
また、上記Ｓ１２０で、パチンコ機２０が大当たり状態であると判定した場合には、平常状態又は確変状態となるまで待機状態となる。
【００４３】
このような釘調整用データ生成処理が行われることにより、パチンコ店の開店時間から閉店時間までの間（評価期間に相当）、平常状態及び確変状態のそれぞれにおけるパチンコ機２０の稼働データ（アウト玉数、セーフ玉数、スタート数）がホールコンピュータ１０に収集される（Ｓ１６０，Ｓ１７０，Ｓ２１０，Ｓ２２０）。ここで、稼働データは、アウト玉数、セーフ玉数、スタート数のうちのいずれかが所定値に達するまでの期間（異常判定期間に相当）ごとに正常であるか否かが判定され（Ｓ１５０，Ｓ２００）、正常な稼働データのみにより釘調整用データが生成される（Ｓ１６０，Ｓ２１０）。
【００４４】
例えば、図３は、平常状態におけるパチンコ機２０の稼働データの値の一例である。ここで、１回目、２回目、…とは、アウト玉数、セーフ玉数、スタート数のうちのいずれかが所定値に達する（Ｓ１４０：ＹＥＳ）までの期間を単位としたデータの収集回数を意味している。同図において、３回目の収集データは、１００玉スタート数の値が７．３となっており、正常範囲である５〜７の範囲外であることから、この３回目の収集データについては釘調整用データから除外される（異常データとして蓄積される）。同様に、５回目の収集データは、ベースの値が４１．４となっており、正常範囲である２０〜４０の範囲外であることから、この５回目の収集データについても釘調整用データから除外される（異常データとして蓄積される）。
【００４５】
なお、本実施形態では、釘調整用データ生成処理（図２）におけるＳ１５０，Ｓ１６０，Ｓ２００，Ｓ２１０の処理が、判定手段及び異常データ除外手段に相当する。
以上説明したように、本実施形態のホールコンピュータ１０は、パチンコ店の開店時間から閉店時間までの期間内におけるパチンコ機２０の稼働データ（アウト玉数、セーフ玉数、スタート数）を収集して（Ｓ１３０，Ｓ１８０）、そのパチンコ機２０の釘の状態を評価するための釘調整用データを生成する（Ｓ１６０，Ｓ２１０）。ここで、本ホールコンピュータ１０では、アウト玉数、セーフ玉数、スタート数のうちのいずれかが所定値に達するまでの期間ごとにその期間でのパチンコ機２０の稼働データが正常であるか否かを判定し（Ｓ１５０，Ｓ２００）、正常でないと判定した場合にはその期間でのパチンコ機２０の稼働データを釘調整用データから除外する。このため、本ホールコンピュータ１０によれば、パチンコ機２０に一時的な異常が生じた場合にもそのパチンコ機２０についての適正な評価を行うことができる。
【００４６】
また、本ホールコンピュータ１０では、３つの条件のうちのいずれか１つが成立するまでの期間（Ｓ１４０：ＹＥＳ，Ｓ１９０：ＹＥＳ）での稼働データについて正常であるか否かの判断を行うようにしている。このため、本ホールコンピュータ１０によれば、例えば、パチンコ機２０のアウト玉数が異常によりカウントされない場合にも、他の条件の成立によりその期間を終了させることができる。特に、上記３つの条件は、異なる事象に基づいているにもかかわらず確率的に近いタイミングで成立するように設定することができるため、期間の長さを安定させることができる。
【００４７】
以上、本発明の一実施形態について説明したが、本発明は、種々の形態を採り得ることは言うまでもない。
例えば、上記実施形態のホールコンピュータ１０では、アウト玉数、セーフ玉数、スタート数のうちのいずれかが所定値に達するまでの期間ごとにその期間でのパチンコ機２０の稼働データが正常であるか否かを判定し（Ｓ１５０，Ｓ２００）、正常でないと判定した場合にはその期間でのパチンコ機２０の稼働データを釘調整用データから除外するようにしているが、これに限ったものではない。例えば、正常でないと判定した期間での稼働データに加え、その直前及び直後の期間での稼働データについても釘調整用データから除外するようにしてもよい。例えば図３の例では、３回目のデータが正常でないと判定された場合、その前後である２回目、４回目のデータについても除外するのである。このようにすれば、釘調整用データの信頼性を一層向上させることができる。正常でないと判定された期間の前後では、異常なデータが含まれている可能性が高いからである。
【００４８】
また、上記実施形態のホールコンピュータ１０では、パチンコ機２０の稼働データから算出されるベースや１００玉スタート数があらかじめ設定されている正常範囲内にあるか否かにより、その稼働データが正常であるか否かを判定するようにしているが（Ｓ１５０，Ｓ２００）、これに限ったものではない。例えば、パチンコ店の開店時間から閉店時間までの期間におけるパチンコ機２０の稼働データに基づいて上記正常範囲を設定するようにしてもよい。具体的には、開店時間から閉店時間までの期間に収集したパチンコ機２０の全稼働データから標準偏差を算出し、この標準偏差を用いて上記正常範囲を設定するようにすることができる。この構成によれば、稼働データが正常であるか否かの判定を、各パチンコ機２０の特性（例えば釘の状態）に応じて適正に行うことができる。
【図面の簡単な説明】
【００４９】
【図１】実施形態のホールコンピュータを備えたシステムの概略構成を表すブロック図である。
【図２】釘調整用データ生成処理のフローチャートである。
【図３】平常状態におけるパチンコ機の稼働データの値の一例である。
【符号の説明】
【００５０】
１０…ホールコンピュータ、２０…パチンコ機、３０…島集計基板、４０…台データ集計基板、５０…アウト玉計数部、６０…セーフ玉計数部、７０…スタート信号出力部、８０…信号出力部
【図１】
2005319094.tif 000007
【図２】
2005319094.tif 000008
【図３】
2005319094.tif 000009